(57)【要約】【課題】駐車料金と充電料金とを合算して精算する精算機を提供する。【解決手段】電気自動車へ充電する充電設備を備える駐車場の利用によって生じる駐車料金を精算するための精算機であって、前記駐車料金及び前記充電設備の利用によって生じる充電料金を表示して、当該充電料金及び駐車料金を精算する。【選択図】図２９
2014078249.tif 000002
【特許請求の範囲】
【請求項１】
電気自動車へ充電する充電設備を備える駐車場の利用によって生じる駐車料金を精算するための精算機であって、
前記駐車料金及び前記充電設備の利用によって生じる充電料金を表示して、当該充電料金及び駐車料金を精算することを特徴とする精算機。
【請求項２】
請求項１に記載の精算機であって、
前記充電設備を利用している者が精算をする時に、充電を停止するか否かの選択を受け付け、
充電の停止の選択を受け付けた場合、当該利用者の車両への充電を停止した後、当該充電の停止によって確定した充電料金と駐車料金との合計を計算し、前記計算された合計額を利用者に提示して、当該充電料金及び駐車料金を精算することを特徴とする精算機。
【請求項３】
請求項１又は２に記載の精算機であって、
所定時間の充電後に充電を停止する選択を受け付けた場合、前記所定時間と現在時刻とから充電完了時刻を計算し、当該充電完了時刻における充電の停止によって定まる充電料金と駐車料金との合計を計算し、前記計算された合計額を利用者に提示して、当該充電料金及び駐車料金を精算することを特徴とする精算機。
【請求項４】
請求項１から３のいずれか一つに記載の精算機であって、
前記駐車料金及び前記充電料金を管理するサーバに接続され、前記精算された充電料金及び駐車料金を前記サーバに送信することを特徴とする精算機。
【請求項５】
請求項１又は２に記載の精算機であって、
前記精算機は、
前記駐車料金及び前記充電料金を管理するサーバに接続され、
所定時間の充電後に充電を停止する選択を受け付けた場合、現在までの充電によって発生した充電料金と駐車料金との合計を計算し、前記計算された合計額を提示して、当該充電料金及び駐車料金を精算し、前記精算された充電料金及び駐車料金を前記サーバに送信し、
前記サーバは、当該精算機による精算後に発生した充電料金と駐車料金との合計を計算し、前記計算された合計額を他の精算機によって利用者に提示して、当該充電料金及び駐車料金を精算することを特徴とする精算機。
【請求項６】
請求項１から５のいずれか一つに記載の精算機であって、
前記精算機は、駐車場の出口以外の場所に設けられることを特徴とする精算機。
【発明の詳細な説明】
【技術分野】
【０００１】
本発明は、精算機に関し、特に、駐車場における駐車料金と充電料金とを統合して扱う精算機に関する。
【背景技術】
【０００２】
環境問題を改善するために電気自動車に対する期待が高まっている。電気自動車を普及するためには、走行距離や充電時間などの電気自動車自体の技術的な問題の他、充電装置の設置などのインフラについての課題を含む社会システム上の課題が存在する。このため、自動車用の充電設備を自宅や街中に設置しようとする試みがある。
【０００３】
このように街中に設置された充電設備の利用料金の精算方法として、特許文献１には、電気自動車の充電料金を、一般の電気料金と合算して精算するシステムが記載されている。
【先行技術文献】
【特許文献】
【０００４】
【特許文献１】特開２００８−１２９８７５号公報
【特許文献２】特開２００９−１２９３８４号公報
【特許文献３】特開２００１−２４３５１１号公報
【特許文献４】特開２００１−３０７１７９号公報
【発明の概要】
【発明が解決しようとする課題】
【０００５】
前述した街中に設置される自動車用の充電設備は、ガソリンスタンドのような、充電ステーションに設けられる他、駐車場に設けられることが多いと予想される。駐車場の利用料金の精算として、特許文献２には、駐車場において、駐車時間と駐車料金とを管理することによって、実際に駐車した時間分の駐車料金を算出する駐車場制御システムが記載されている。しかし、有料駐車場に充電設備が設けられた場合に、駐車料金と充電料金とを合算して精算することは考慮されていない。
【０００６】
また、特許文献３及び特許文献４には、駐車料金を精算する料金精算機が記載されている。特許文献３、４に記載されるような事前精算機のうち駐車場の外に設けられる精算機から駐車スペースまでは距離があり、事前精算機で精算したユーザが車両を出口ゲートを通過するまでに時間がかかった。このため、駐車料金の精算においては、事前精算機で精算したユーザに所定の時間（例えば、１５分）の余裕時間を付与し、この余裕時間内に駐車場外に出れば追加の駐車料金を徴収しないようにして、利用者の利便性を高めていた。
【０００７】
しかし、有料駐車場に充電設備が併設されている場合、事前精算機で駐車料金を精算するときに、充電料金をどのように精算するか、すなわち、充電料金を確定するための充電の終了をどのように制御するかについての検討はされていなかった。
【０００８】
本発明は、充電設備が併設されている有料駐車場において、駐車料金と充電料金とを合算して精算することができ、事前精算機における精算時にも充電料金を適切に精算することができる精算機を提供することを目的とする。
【課題を解決するための手段】
【０００９】
本願において開示される発明の代表的な一例を示せば以下の通りである。すなわち、電気自動車へ充電する充電設備を備える駐車場の利用によって生じる駐車料金を精算するための精算機であって、前記駐車料金及び前記充電設備の利用によって生じる充電料金を表示して、当該充電料金及び駐車料金を精算することを特徴とする。
【発明の効果】
【００１０】
本発明の代表的な実施の形態によれば、駐車料金と充電料金とを統合して取り扱うことができ、事前精算機で駐車料金を精算した場合でも適正な充電料金を精算することができる。
【図面の簡単な説明】
【００１１】
【図１Ａ】本発明の実施の形態の駐車・充電管理システムの構成を示すブロック図である。
【図１Ｂ】本発明の実施の形態の駐車・充電管理システムの構成を示すブロック図である。
【図２】本発明の実施の形態の駐車設備管理データテーブル２１００の説明図である。
【図３】本発明の実施の形態の車両管理データテーブル２２００の説明図である。
【図４】本発明の実施の形態の充電設備状況監視データテーブル２３００の説明図である。
【図５】本発明の実施の形態の充電設備データテーブル２４００の説明図である。
【図６】本発明の実施の形態の交換電池充電設備状況監視データテーブル２５００の説明図である。
【図７】本発明の実施の形態の充電電池交換レーンデータテーブル２６００の説明図である。
【図８】本発明の実施の形態の電池充電設備データテーブル２７００の説明図である。
【図９】本発明の実施の形態のシステム起動処理のフローチャートである。
【図１０】本発明の実施の形態の更新処理のフローチャートである。
【図１１】本発明の実施の形態のシステム終了処理のフローチャートである。
【図１２】本発明の実施の形態の駐車設備側情報取得処理のフローチャートである。
【図１３】本発明の実施の形態の全体監視処理のフローチャートである。
【図１４】本発明の実施の形態の充電料金管理処理のフローチャートである。
【図１５】本発明の実施の形態の駐車料金管理処理のフローチャートである。
【図１６】本発明の実施の形態の充電設備状況監視処理のフローチャートである。
【図１７】本発明の実施の形態の自動車用交換電池充電設備状況監視処理のフローチャートである。
【図１８】本発明の実施の形態の駐車・充電状況通知処理のフローチャートである。
【図１９】本発明の実施の形態の通話処理のフローチャートである。
【図２０】本発明の実施の形態の通話処理のフローチャートである。
【図２１】本発明の実施の形態の駐車・充電料金精算処理のフローチャートである。
【図２２】本発明の実施の形態の全体監視部１０１によって表示される全体監視画面３１００の説明図である。
【図２３】本発明の実施の形態の充電料金管理部１０２によって表示される充電料金管理画面３２００の説明図である。
【図２４】本発明の実施の形態の充電料金管理部１０２によって表示される充電料金管理画面３３００の説明図である。
【図２５】本発明の実施の形態の駐車料金管理部１０３によって表示される駐車料金管理画面３４００の説明図である。
【図２６】本発明の実施の形態の充電設備状況監視部１０４によって表示される充電設備状況監視画面３５００の説明図である。
【図２７】本発明の実施の形態の交換電池充電設備状況監視部１０５によって表示される交換電池充電設備状況監視画面３６００の説明図である。
【図２８】本発明の実施の形態の駐車・充電状況通知部１１１によってプラグ充電設備４０２の表示部に表示される駐車・充電状況通知画面３７００の説明図である。
【図２９】本発明の実施の形態の駐車・充電料金請求部１１２によって事前精算機３０４の表示部に表示される駐車・充電料金請求画面３８００の説明図である。
【発明を実施するための形態】
【００１２】
＜システム構成＞
図１Ａは、本発明の実施の形態の駐車・充電管理システムの構成を示すブロック図である。
【００１３】
本実施の形態の駐車・充電管理システムは、管理サーバ１００、駐車設備側ターミナル２００、駐車設備関連機器３０１〜３０９、充電設備関連機器４０１〜４０５及び他システム連携側ターミナル５００を備える。
【００１４】
管理サーバ１００は、本駐車・充電管理システムを制御する計算機であり、その構成の詳細は、図１Ｂを用いて後述する。
【００１５】
駐車設備側ターミナル２００は、管理サーバ１００と、駐車設備関連機器３０１〜３０９及び充電設備関連機器４０１〜４０５とを接続するためのインターフェースを提供する機器であり、例えば、機器間の接続にＬＡＮが用いられる場合、ネットワークスイッチである。
【００１６】
駐車設備関連機器３０１〜３０９は、駐車設備側ターミナル２００を介して管理サーバ１００と接続されており、入口ゲート３０１、出口ゲート３０２、出口精算機３０３、事前精算機３０４、車両情報カメラ３０５、車両情報センサ３０６、防災設備３０７、受配電設備３０８及び通話設備３０９が含まれる。
【００１７】
入口ゲート３０１は、駐車場の入口に設けられ、ゲートの開閉によって、駐車場への車両の入場を制御する。出口ゲート３０２は、駐車場の出口に設けられ、ゲートの開閉によって、駐車場からの車両の出場を制御する。
【００１８】
出口精算機３０３は、出口ゲート３０２の手前に設けられ、駐車場の利用時間に応じた駐車料金及び車両に供給された電力量に応じた充電料金を、利用者が支払うために使用される。出口精算機３０３は、利用者に対する精算の指示を表示する表示部、及び、決済方法等の指示が入力される操作部、決済される利用料金（通貨、クレジットカード、プリペイドカード等）を受け入れる料金受入部を備える。なお、操作部をタッチパネルによって構成し、表示部と一体に設けてもよい。
【００１９】
事前精算機３０４は、出口精算機３０３とは異なる位置（例えば、駐車場の利用者出入り口付近）に設けられ、駐車場の利用時間に応じた駐車料金及び車両に供給された電力に応じた充電料金を、利用者が支払うために使用される。事前精算機３０４は、利用者に対する精算の指示を表示する表示部、及び、決済方法等の指示が入力される操作部、決済される利用料金（通貨、クレジットカード、プリペイドカード等）を受け入れる料金受入部を備える。なお、操作部をタッチパネルによって構成し、表示部と一体に設けてもよい。
【００２０】
車両情報カメラ３０５は、入口ゲート３０１の手前及び各駐車スペースに設けられ、駐車場に入場する車両の自動車登録番号標（ナンバープレート）、駐車エリア及び充電エリアに停止した車両の自動車登録番号標を撮影する。なお、本実施形態の駐車・充電管理システムでは、撮影されたナンバープレートに表示された情報（登録番号）を、後述する番号管理システムに照会することによって、車種の情報を得ることができる。
【００２１】
車両情報センサ３０６は、入口ゲート３０１の手前、各駐車エリア及び各充電エリアに設けられ、駐車場に入場する車両、駐車エリア、充電エリアに停止した車両の情報を取得する。例えば、車両情報センサ３０６は、ＥＴＣシステムの無線装置（固定側装置）であって、駐車場を利用する車両に搭載された車載装置に設定された車両の情報（例えば、登録番号、車種等）を取得する。
【００２２】
防災設備３０７は、駐車場エリア内に設けられる消火装置（スプリンクラー）、警報装置（火災報知器）等である。受配電設備３０８は、駐車場の各設備が使用する電力（充電用の電力及び制御用の電力）を、電力会社から供給を受ける。
【００２３】
通話設備３０９は、駐車場内の各所と管理センターとの間で通信を実現する電話機等の通信機である。充電設備関連機器４０１〜４０５は、駐車設備側ターミナル２００を介して管理サーバ１００と接続されており、表示設備４０１、プラグ充電設備４０２、非接触充電設備４０３、電池交換設備４０４及び電池充電設備４０５が含まれる。
【００２４】
表示設備４０１は、充電設備４０２、４０３が設けられた充電エリアに停止した車両の運転手からその表示画面が見える位置や、充電プラグを操作する際に見える位置に設けられる表示装置であって、充電に関する情報（例えば、充電の進行状況、充電プラグの操作者に対する指示）を表示する。なお、表示設備４０１には、充電設備４０２、４０３の表示部と同じ又は連動した表示がされる。
【００２５】
プラグ充電設備４０２は、車両の充電レセプタクルに装着される充電プラグ、充電操作に関する指示及び充電状態を表示する表示部、及び、充電の開始及び停止の指示が入力される操作部を備え、車両に装着された充電プラグから車両に電力を供給する。なお、操作部をタッチパネルによって構成し、表示部と一体に設けてもよい。
【００２６】
非接触充電設備４０３は、車両に備わる非接触受電部に電力を供給する電源供給装置（例えば、１次コイル）、充電操作に関する指示及び充電状態を表示する表示部、及び、充電の開始及び停止の指示が入力される操作部を備え、車両に近接した電源供給装置から車両の受電装置（例えば、２次コイル）に、非接触で電力を供給する。なお、操作部をタッチパネルによって構成し、表示部と一体に設けてもよい。
【００２７】
電池交換設備４０４は、電池交換式の車両から電池を取り外し、車両に電池を装着する電池交換部、電池交換に関する指示及び交換作業の状態を表示する表示部、及び、電池交換の開始及び停止の指示が入力される操作部を備え、車両から電池を取り外し、車両に充電済み電池を装着する。
【００２８】
電池充電設備４０５は、電池交換設備４０４によって車両から取り外された使用済電池を充電する充電器、装着される充電済電池及び取り外された使用済電池を保管する電池保管部、及び、電池充電設備４０５との間で電池を移動させる搬送部を備える。
【００２９】
他システム連携側ターミナル５００は、管理サーバ１００と外部ネットワーク５１０とを接続するためのインターフェースを提供する機器であり、例えば、ルータ、ＯＮＵ等である。他システム連携側ターミナル５００は、外部ネットワーク５１０を介して、他システム５２０と接続されている。他システム５２０は、例えば、自動車の登録番号を管理する番号管理システム、駐車場空き状況や充電の進捗状態を利用者に伝達するためのｗｅｂサーバ、充電用の電力を供給する電力会社のシステム、クレジットカード会社の決済システム、プリペイド又はポストペイ方式の非接触ＩＣカード決済システムが含まれる。
【００３０】
図１Ｂは、本発明の実施の形態の管理サーバ１００の構成を示すブロック図である。
【００３１】
管理サーバ１００は、プログラムを実行するプロセッサ、プロセッサで実行されるプログラム及びプログラムの実行時に必要なデータを格納するメモリ、データを格納する記憶装置（例えば、磁気ディスクドライブ、不揮発性半導体メモリ等）、他の機器と接続するためのインターフェース（例えば、ＴＣＰ／ＩＰプロトコルを用いて通信するネットワークインターフェース、ＲＳ−２３２Ｃポート、ＵＳＢポート等）及びユーザインターフェース（ディスプレイ等の表示装置、キーボード、マウス等の入力装置）を備える計算機である。
【００３２】
なお、管理サーバ１００はユーザインターフェースを備えなくてもよい。この場合、管理サーバ１００は、ネットワークを介して接続された端末と通信し、この駐車・充電管理システムの稼働状況を端末に表示するための画面データを送信し、端末が受け付けた駐車・充電管理システムに対する動作の指示を受信することによって、システムを制御する。
【００３３】
記憶装置は、後述するデータベース（図２〜図８）を格納する。なお、記憶装置は、管理サーバ１００内に設けられていなくても、管理サーバ１００と接続された外部記憶装置に格納されてもよい。
【００３４】
管理サーバ１００は、全体監視部１０１、充電料金管理部１０２、駐車料金管理部１０３、充電設備状況監視部１０４、交換電池充電設備状況監視部１０５、充電設備供給電力管理部１０６、自動車特定情報管理部１０７、他システム連携監視部１０８、防災監視部１０９、通話部１１０、駐車・充電状況通知部１１１及び駐車・充電料金請求部１１２を備える。これらの各部１０１〜１１２は、メモリに格納されたプログラムをプロセッサが実行されることによって実現される。
【００３５】
全体監視部１０１は、本駐車・充電管理システムの動作状況を監視し、システム全体の動作状況を表示する全体監視画面３１００（図２２）のデータを生成する。充電料金管理部１０２は、本駐車・充電管理システムによって管理される充電の料金を管理するための充電料金管理画面（図２３）のデータを生成する。
【００３６】
駐車料金管理部１０３は、本駐車・充電管理システムによって管理される駐車の料金を管理するための充電料金管理画面３３００（図２４）、駐車料金管理画面３４００（図２５）のデータを生成する。充電設備状況監視部１０４は、本駐車・充電管理システムの充電設備（プラグ充電設備４０２及び非接触充電設備４０３）の動作状態を管理するための充電設備状況監視画面３５００（図２６）のデータを生成する。
【００３７】
交換電池充電設備状況監視部１０５は、本駐車・充電管理システムの電池交換設備４０４及び電池充電設備４０５の動作状態を管理するための交換電池充電設備状況監視画面３６００（図２７）のデータを生成する。充電設備供給電力管理部１０６は、本駐車・充電管理システムが受電する電力の状態、本駐車・充電管理システムから供給される電力の状態を表示する画面（図示省略）のデータを生成する。
【００３８】
自動車特定情報管理部１０７は、本駐車・充電管理システムによって特定される自動車の情報（自動車登録番号）を表示する画面（図示省略）のデータを生成する。他システム連携監視部１０８は、本駐車・充電管理システムに接続される他システム５２０との通信状況を監視し、これらの他システム５２０との通信を制御するための画面（図示省略）のデータを生成する。
【００３９】
防災監視部１０９は、駐車場内の各所に設けられた火災報知器や消火設備（消火栓、スプリンクラー等）の動作状況を監視し、これらの機器の動作を制御する。通話部１１０は、駐車場内の各所に設けられたインターホン等の通信設備との通信を制御する。
【００４０】
駐車・充電状況通知部１１１は、本駐車・充電管理システムの充電設備（プラグ充電設備４０２及び非接触充電設備４０３）の表示部に表示される駐車・充電状況通知画面３７００（図２８）のデータを生成する。駐車・充電料金請求部１１２は、本駐車・充電管理システムの精算機（出口精算機３０３及び事前精算機３０４）の表示部に表示される駐車・充電料金請求画面３８００（図２９）のデータを生成する。
【００４１】
図２は、本発明の実施の形態の駐車設備管理データテーブル２１００の説明図である。
【００４２】
駐車設備管理データテーブル２１００は、駐車場設備の利用状態を管理するテーブルで、駐車設備識別番号２１０１、充電設備識別番号２１０２及び車識別番号２１０３を含む。
【００４３】
駐車設備識別番号２１０１は、車両が駐車する駐車エリアを一意に識別する番号である。充電設備識別番号２１０２は、駐車エリアに設置された充電設備を一意に識別する番号である。なお、充電設備が設置されていない駐車スペースの充電設備識別番号２１０２には、”ｎｕｌｌ”が設定される。
【００４４】
車識別番号２１０３は、この駐車場を利用する車両を一意に識別する番号であって、駐車場の入口で、駐車場への入場が検出された車両に付与される。この車識別番号２１０３に値が格納されている場合、その駐車エリアに当該車両が駐車しており、車識別番号２１０３が”ｎｕｌｌ”である場合、その駐車エリアには車両が駐車していないことを示す。
【００４５】
図３は、本発明の実施の形態の車両管理データテーブル２２００の説明図である。
【００４６】
車両管理データテーブル２２００は、駐車場に滞在する車両を管理するためのテーブルで、車識別番号２２０１、車両ナンバー２２０２、車両種類２２０３、徴収済駐車料金２２０４、徴収済充電料金２２０５、徴収済充電電池交換料金２２０６、未徴収駐車料金２２０７、未徴収充電料金２２０８、充電電池交換料金２２０９、駐車時間２２１０、充電時間２２１１、積算電力量２２１２、駐車料金単価２２１３及び充電料金単価２２１４を含む。
【００４７】
車識別番号２２０１は、車両を一意に識別する番号であって、駐車設備管理データテーブル２１００の車識別番号２１０３と共通の番号が使用される。この車識別番号２２０１は、駐車場の入口で、駐車場に入場する車両のナンバープレートを撮影することによって（又は、ＥＴＣ車載装置から）自動車登録番号を取得し、車両管理データテーブル２２００の車両ナンバー２２０２に同じ自動車登録番号が記録されていない場合、新しい車識別番号２２０１が付与される。なお、その車両が駐車場から出場して所定期間が経過した後に、車識別番号２２０１を無効とし、無効となった車識別番号のデータを車両管理データテーブル２２００から削除してもよい。
【００４８】
車両ナンバー２２０２は、ナンバープレートに記載された記号・番号、すなわち、その車両の自動車登録番号である。
【００４９】
車両種類２２０３は、その車両が電気自動車（ＥＶ車）であるか、また、どのような充電方式の電気自動車であるかを示す。なお、本実施の形態で電気自動車とは、純粋に電気のみを動力とする車両の他に、充電をすることができるプラグインハイブリッド車等の他の動力を併用した車両も含む。車両種類２２０３は、例えば、”ＥＶ−１”はプラグ充電式の車両、”ＥＶ−２”は非接触充電式の車両、”ＥＶ−３”は電池交換式の車両と定義してもよい。
【００５０】
徴収済駐車料金２２０４は、その車両が駐車場を利用したことによる駐車料金のうち決済が完了している額である。徴収済充電料金２２０５は、その車両が駐車場の充電設備を利用したことによる充電料金のうち決済が完了している額である。徴収済充電電池交換料金２２０６は、その車両が駐車場の電池交換設備を利用したことによる電池交換料金のうち決済が完了している額である。なお、電池交換料金には、電池のレンタル料及び交換される電池に充電されている電気の料金が含まれる。
【００５１】
未徴収駐車料金２２０７は、その車両が駐車場を利用したことによる駐車料金のうち未決済の額であって、駐車時間２２１０と駐車料金単価２２１３とを乗じた値から徴収済駐車料金２２０４を減じた額である。未徴収充電料金２２０８は、その車両が駐車場の充電設備を利用したことによる充電料金のうち未決済の額であって、積算電力量２２１２と充電料金単価２２１４とを乗じた値から徴収済充電料金２２０５を減じた額である。充電電池交換料金２２０９は、その車両が駐車場の電池交換設備を利用したことによる電池交換料金のうち未決済の額であって、交換した電池の価格から徴収済充電電池交換料金２２０６を減じた額である。
【００５２】
駐車時間２２１０は、その車両が入口ゲート３０１を通過してからの経過時間である。充電時間２２１１は、その車両に充電電力の供給を開始してからの経過時間である。積算電力量２２１２は、その車両に供給された充電用の電力量である。
【００５３】
駐車料金単価２２１３は、単位時間(例えば、１５分）あたりの駐車料金である。充電料金単価２２１４は単位電力量（例えば、１ｋＷｈ）あたりの充電料金である。
【００５４】
図４は、本発明の実施の形態の充電設備状況監視データテーブル２３００の説明図である。
【００５５】
充電設備状況監視データテーブル２３００は、充電設備の状態を管理するテーブルであり、プラグ充電設備４０２及び非接触充電設備４０３から取得した情報を集計したデータが記録される。充電設備状況監視データテーブル２３００は、充電中台数２３０１、充電済台数２３０２、エラー数２３０３、電池不良数２３０４、接続不良数２３０５及び充電設備不良数２３０６を含む。
【００５６】
充電中台数２３０１は、現在充電中の車両の数である。充電済台数２３０２は、充電が完了した車両の数である。
【００５７】
エラー数２３０３は、充電中に異常が発生し、その異常が回復していない車両の数である。電池不良数２３０４、接続不良数２３０５及び充電設備不良数２３０６は、エラー数２３０３の内訳（異常の原因）を示す。電池不良数２３０４は、搭載された電池に不具合がある車両の数である。接続不良数２３０５は、車両と充電設備との接続に不具合がある充電設備（又は、車両）の数である。充電設備不良数２３０６は、不具合がある充電設備の数である。
【００５８】
図５は、本発明の実施の形態の充電設備データテーブル２４００の説明図である。
【００５９】
充電設備データテーブル２４００は、充電設備の各々の状態を管理するテーブルであり、プラグ充電設備４０２及び非接触充電設備４０３から取得した情報が記録される。充電設備データテーブル２４００は、充電設備識別番号２４０１、防災情報２４０２、状態２４０３、充電率２４０４、経過時間２４０５、残り時間２４０６、入力位相２４０７、入力電圧２４０８、出力位相２４０９及び出力電圧２４１０を含む。
【００６０】
充電設備識別番号２４０１は、駐車エリアに設置された充電設備を一意に識別する番号であり、駐車設備管理データテーブル２１００の充電設備識別番号２１０２と共通の番号が使用される。
【００６１】
防災情報２４０２は、その充電設備が正常か異常かを示す情報であり、図示した「正常」の他、「異常（過電流）」、「異常（温度上昇）」、「異常（消火設備作動）」等がある。
【００６２】
状態２４０３は、その充電設備が稼動しているかを示す情報であり、「充電中」、「充電済」、「空き」、「メンテナンス」のいずれかの状態をとる。
【００６３】
充電率２４０４は、状態２４０３が「充電中」の場合、満充電までの充電率（電池の残容量）を示し、状態２４０３が「充電済」の場合、充電率２４０４には”１００”が記録され、状態２４０３が「空き」の場合、充電率２４０４には”０”が記録される。
【００６４】
経過時間２４０５は、充電開始からの経過時間である。残り時間２４０６は、満充電までの予測時間である。なお、状態２４０３が「充電済」又は「空き」の場合、経過時間２４０５には”００００”が記録される。
【００６５】
入力位相２４０７及び入力電圧２４０８は、この充電設備に供給される電力の位相及び電圧である。出力位相２４０９及び出力電圧２４１０は、この充電設備から出力され、車両に供給される電力の位相及び電圧である。なお、出力電圧２４１０には、この充電設備から現在出力されている電圧が記録されるが、定格電圧を記録してもよい。
【００６６】
図６は、本発明の実施の形態の交換電池充電設備状況監視データテーブル２５００の説明図である。
【００６７】
交換電池充電設備状況監視データテーブル２５００は、電池交換設備４０４及び電池充電設備４０５の状態を管理するテーブルであり、電池交換設備４０４及び電池充電設備４０５から取得した情報を集計したデータが記録される。交換電池充電設備状況監視データテーブル２５００は、交換中台数２５０１、交換済台数２５０２、エラー数２５０３、電池不良数２５０４及び交換設備不良数２５０５を含む。
【００６８】
交換中台数２５０１は、現在電池を交換中の車両の数である。交換済台数２５０２は、電池の交換が完了した車両の数である。
【００６９】
エラー数２５０３は、電池交換中に異常が発生し、その異常が回復していない車両、設備及び電池の数である。電池不良数２５０４及び交換設備不良数２５０５は、エラー数２５０３の内訳（異常の原因）を示す。電池不良数２５０４は、不具合がある電池の数である。交換設備不良数２５０５は、不具合がある電池交換設備４０４の数である。
【００７０】
図７は、本発明の実施の形態の充電電池交換レーンデータテーブル２６００の説明図である。
【００７１】
充電電池交換レーンデータテーブル２６００は、電池交換設備４０４が設置された電池交換レーンの状態を管理するテーブルであり、各電池交換設備４０４から取得した情報が記録される。充電電池交換レーンデータテーブル２６００は、レーン番号２６０１、防災情報２６０２、状態２６０３、車識別番号２６０４、入口信号機２６０５、経過時間２６０６、交換前電池識別子２６０７、交換前充電率２６０８、交換後電池識別子２６０９及び交換後充電率２６１０を含む。
【００７２】
レーン番号２６０１は、電池交換レーンを一意に識別する番号である。防災情報２６０２は、その電池交換レーンが正常か異常かを示す情報であり、図示した「正常」の他、「異常」がある。状態２６０３は、その充電設備の稼動状態を示す情報であり、「交換中」、「交換完了」、「空き」、「メンテナンス」のいずれかの状態をとる。
【００７３】
車識別番号２６０４は、車両を一意に識別する番号であって、駐車設備管理データテーブル２１００の車識別番号２１０３と共通の番号が使用される。この車識別番号２６０４は、電池交換レーンの入口で、レーンに入場する車両のナンバープレートを撮影することによって（又は、ＥＴＣ車載装置から）自動車登録番号を取得し、車両管理データテーブル２２００の車両ナンバー２２０２に登録されている自動車登録番号に対応する車識別番号２１０３が記録される。
【００７４】
入口信号機２６０５は、レーンの入口に配置された信号機を示す。入口信号機２６０５は、図示したように、車両の進入禁止を示す「赤」、車両の進入許可を示す「青」の他、信号機が点灯していないことを示す「故障中」がある。
【００７５】
経過時間２６０６は、車両がレーンに入ってからの経過時間である。
【００７６】
交換前電池識別子２６０７は、この車両から取り出された（又は、取り出される）電池に付与された識別子である。なお、交換式電池には、電池を一意に識別する識別子が付与されている。交換前充電率２６０８は、この車両から取り出された電池の満充電に対する残容量である。なお、レーンの入口で車両との通信によって、現在車両に装着されている電池の識別子及び充電率を取得してもよい。
【００７７】
交換後電池識別子２６０９は、この車両に装着される（又は、装着された）電池に付与された識別子であり、交換前電池識別子２６０７と共通の識別子が使用される。交換後充電率２６１０は、この車両に装着される（又は、装着された）電池の満充電に対する残容量である。
【００７８】
図８は、本発明の実施の形態の電池充電設備データテーブル２７００の説明図である。
【００７９】
電池充電設備データテーブル２７００は、電池充電設備４０５の状態を管理するテーブルであり、各電池充電設備４０５から取得した情報が記録される。電池充電設備データテーブル２７００は、電池充電設備番号２７０１、防災情報２７０２、電池識別番号２７０３、充電率２７０４、充電経過時間２７０５及び消費電力量２７０６を含む。
【００８０】
電池充電設備番号２７０１は、電池充電設備４０５を一意に識別する番号である。防災情報２７０２は、その電池充電設備４０５が正常か異常かを示す情報であり、図示した「正常」の他、「異常」がある。
【００８１】
電池識別番号２７０３は、この電池充電設備４０５で充電している（又は、充電完了状態で保管されている）電池の識別子であり、充電電池交換レーンデータテーブル２６００の交換前電池識別子２６０７及び交換後電池識別子２６０９と共通の識別子が使用される。
【００８２】
充電率２７０４は、充電中の電池の充電率（残容量）を示す。充電経過時間２７０５は、電池の充電を開始してからの経過時間である。消費電力量２７０６は、電池の充電に供給された電力量である。
【００８３】
なお、図２から図８に示す各テーブルは、データベース形式で、管理サーバ１００の記憶装置に格納されているが、他の形式のデータであってもよい。また、図２から図８に示すテーブルは、各々、別のテーブルによって構成されているが、このうち一部又は全部のテーブルを、一つのテーブルにしてもよい。
【００８４】
図９は、本発明の実施の形態のシステム起動処理のフローチャートである。図９に示すシステム起動処理は、本実施の形態の駐車・充電管理システムが起動したときに、管理サーバ１００で実行される。
【００８５】
まず、管理サーバ１００のプロセッサは、駐車設備側ターミナル２００を経由して駐車設備関連機器３０１〜３０９及び充電設備関連機器４０１〜４０５にデータ要求コマンド（又は、起動コマンド、初期設定コマンド）を送信し、これらの機器から情報を取得する駐車設備側情報取得処理を実行する（１００１）。この駐車設備側情報取得処理の詳細は、図１２を用いて後述する。
【００８６】
このとき、システム側から機器を起動する場合、データ要求コマンドに代えて、起動コマンドを送信してもよい。また、システム側から機器を初期設定する場合、データ要求コマンドに代えて、初期設定コマンドを送信してもよい。
【００８７】
その後、取得したデータの状態が正常か否かを判定する（１００２）。
【００８８】
この判定の結果、一部又は全部の機器からデータが取得できない場合又は取得したデータが異常である場合、共通エラー処理を実行する（１００８）。具体的には、全部の機器からデータが取得できない又は取得したデータが異常である場合、システムの起動が不可能と判定する。また、一部の機器からデータが取得できない又は取得したデータが異常である場合、管理サーバ１００の表示装置にデータが取得できない機器を表示する。なお、特定の重要な機器からデータを取得できない場合、システムの起動が不可能と判定してもよい。
【００８９】
一方、これらの機器から取得した正常なデータはデータベース（図２〜図８）に格納される（１００３）。
【００９０】
その後、他システム連携側ターミナル５００を経由して、本駐車・充電管理システムに接続される他システム５２０とアプリケーションレベルにおいて通信し（１００４）、通信状態（リンク）が正常か否かを判定する（１００５）。
【００９１】
この判定の結果、一部又は全部の他システムと通信ができない場合、共通エラー処理を実行する（１００９）。具体的には、管理サーバ１００の表示装置に通信ができないシステムを表示する。なお、特定の重要な他システムと通信ができない場合、駐車・充電管理システムの起動が不可能と判定してもよい。また、重要ではない他システムと通信ができない場合、当該通信ができない他システムを切り離して駐車・充電管理システムを起動する縮退稼動をしてもよい。
【００９２】
一方、これらの機器から取得した正常なデータはデータベース（図２〜図８）に格納される（１００６）。
【００９３】
その後、更新処理（図１０）を常駐させ、全体監視画面３１００（図２２）を表示するためのデータを生成し、生成された画面データを管理サーバ１００の表示装置に送信する（１００７）。
【００９４】
図１０は、本発明の実施の形態の更新処理のフローチャートである。図１０に示す更新処理は、管理サーバ１００に常駐し、所定の時間間隔で実行される。
【００９５】
まず、管理サーバ１００のプロセッサは、駐車設備側ターミナル２００を経由して駐車設備関連機器３０１〜３０９及び充電設備関連機器４０１〜４０５にデータ要求コマンドを送信し、これらの機器から情報を取得する駐車設備側情報取得処理を実行する（１０１１）。この駐車設備側情報取得処理の詳細は、図１２を用いて後述する。その後、取得したデータが正常か否かを判定する（１０１２）。
【００９６】
この判定の結果、一部又は全部の機器からデータが取得できない場合又は取得したデータが異常である場合、共通エラー処理を実行する（１０１８）。具体的には、全部の機器からデータが取得できない又は取得したデータが異常である場合、システムの稼動が不可能と判定して、システムを停止する。また、一部の機器からデータが取得できない又は取得したデータが異常である場合、管理サーバ１００の表示装置にデータが取得できない機器を表示する。なお、特定の重要な機器からデータを取得できない場合、システムの稼動が不可能と判定してもよい。
【００９７】
一方、これらの機器から取得した正常なデータはデータベース（図２〜図８）に格納される（１０１３）。
【００９８】
その後、他システム連携側ターミナル５００を経由して、本駐車・充電管理システムに接続される他システム５２０にデータリクエストコマンドを送信し、他システムから情報を取得し（１０１４）、取得したデータが正常か否かを判定する（１０１５）。
【００９９】
この判定の結果、一部又は全部の他システムからデータが取得できない場合、共通エラー処理を実行する（１０１９）。具体的には、管理サーバ１００の表示装置にデータが取得できないシステムを表示する。なお、特定の重要な他システムと通信ができない場合、駐車・充電管理システムの稼動が不可能と判定してもよい。また、重要ではない他システムと通信ができない場合、当該通信ができない他システムを切り離すことによって、駐車・充電管理システムを縮退稼動してもよい。
【０１００】
一方、これらの機器から取得した正常なデータはデータベース（図２〜図８）に格納される（１０１６）。
【０１０１】
その後、予め設定されたデータ更新間隔時間が経過したか否かを判定し（１０１７）、所定時間が経過した場合、ステップ１０１１に戻り、再度データを取得する。
【０１０２】
図１１は、本発明の実施の形態のシステム終了処理のフローチャートである。図１１に示す更新処理は、管理サーバ１００にシステム終了指示がされたときに実行される。
【０１０３】
まず、管理サーバ１００のプロセッサは、終了処理の実行の可否を判定する（１０２１）。具体的には、管理サーバ１００の表示装置に終了確認画面を表示し、管理者の終了確認操作の有無を判定する。
【０１０４】
終了確認画面において「キャンセル」が入力された場合、この終了処理を完了することなく終了する。一方、「終了」が入力された場合、ステップ１０２２に進む。
【０１０５】
次に、駐車設備側ターミナル２００を経由して駐車設備関連機器３０１〜３０９及び充電設備関連機器４０１〜４０５に終了コマンド（又は、データ同期コマンド）を送信し、これらの機器から情報を取得し（１０２２）、取得したデータが正常か否かを判定する（１０２３）。
【０１０６】
この判定の結果、一部又は全部の機器からデータが取得できない場合又は取得したデータが異常である場合、共通エラー処理を実行する（１０３２）。具体的には、一部の機器からデータが取得できない又は取得したデータが異常である場合、管理サーバ１００の表示装置にデータが取得できない機器を表示する。なお、特定の機器からデータを取得できない場合、すなわち特定の機器とデータを同期できない場合、システムの終了が不可能と判定して、終了不可のメッセージを表示してもよい。
【０１０７】
一方、これらの機器から取得した正常なデータはデータベース（図２〜図８）に格納される。これによって、駐車設備関連機器３０１〜３０９及び充電設備関連機器４０１〜４０５に保持されている情報と、管理サーバ１００に保持されている情報とを、同期することができる。
【０１０８】
その後、他システム連携側ターミナル５００を経由して、この駐車・充電管理システムに接続される他システム５２０にデータ同期コマンドを送信し、他システムから情報を取得し（１０２４）、取得したデータが正常か否かを判定する（１０２５）。
【０１０９】
この判定の結果、一部又は全部の他システムからデータが取得できない場合、共通エラー処理を実行する（１０３３）。具体的には、管理サーバ１００の表示装置にデータが取得できないシステムを表示する。なお、特定の他システムと通信ができない場合、駐車・充電管理システムの終了が不可能と判定して、終了不可のメッセージを表示してもよい。
【０１１０】
一方、これらの機器から取得した正常なデータはデータベース（図２〜図８）に格納される。これによって、他システムに管理されている情報と、管理サーバ１００に保持されている情報とを、同期することができる。
【０１１１】
その後、ステップ１０２２において、プラグ充電設備４０２、非接触充電設備４０３及び電池交換設備４０４から取得した情報に基づいて、充電中又は電池交換中の車両があるか否かを判定する（１０２６）。その結果、充電中の車両も電池交換中の車両もなければ、システムの終了に支障がないので、ステップ１０２９に進む。
【０１１２】
一方、充電中又は電池交換中の車両があれば、管理サーバ１００の表示装置に終了確認画面を表示し、管理者の終了確認操作の有無を判定する（１０２７）。
【０１１３】
終了確認画面において「キャンセル」が入力された場合、この終了処理を完了することなく終了する。一方、「強制終了」が入力された場合、プラグ充電設備４０２、非接触充電設備４０３及び電池交換設備４０４に充電終了コマンドを送信することによって、充電及び電池交換作業を強制的に終了する（１０２８）。
【０１１４】
その後、管理サーバ１００の表示装置に終了メッセージ（終了確認画面）を表示し（１０２９）、終了処理を実行する（１０３０）。具体的には、管理サーバ１００の表示装置に表示されている画面を閉じ、更新処理（図１０）の常駐を解除し、データベースとの接続を解除する。
【０１１５】
その後、この終了処理（１０３０）が正常に完了したか否かを判定する（１０３１）。この判定の結果、終了処理が正常に完了していない場合、共通エラー処理を実行して、終了不可のメッセージを表示する（１０３４）。一方、終了条件が満たされている場合、システム終了処理を終了する。
【０１１６】
図１２は、本発明の実施の形態の駐車設備側情報取得処理のフローチャートである。図１２に示す駐車設備側ターミナル情報取得処理は、システム起動処理の駐車設備側情報取得（図９のステップ１００１）、更新処理の駐車設備側情報取得（図１０のステップ１０１１）において実行される。
【０１１７】
まず、管理サーバ１００のプロセッサは、車両情報カメラ３０５、車両情報センサ３０６、プラグ充電設備４０２及び非接触充電設備４０３、にデータ要求コマンドを送信し、駐車設備管理データテーブル２１００（図２）、車両管理データテーブル２２００（図３）、充電設備状況監視データテーブル２３００（図４）及び充電設備データテーブル２４００（図５）に記録する情報を取得する（１０４１）。
【０１１８】
次に、電池交換設備４０４にデータ要求コマンドを送信し、車両管理データテーブル２２００（図３）、交換電池充電設備状況監視データテーブル２５００（図６）及び充電電池交換レーンデータテーブル２６００（図７）に記録する情報を取得する（１０４２）。
【０１１９】
次に、電池充電設備４０５にデータ要求コマンドを送信し、交換電池充電設備状況監視データテーブル２５００（図６）及び電池充電設備データテーブル２７００（図８）に記録する情報を取得する（１０４３）。
【０１２０】
次に、受配電設備３０８にデータ要求コマンドを送信し、受配電設備３０８の稼働状況及び受電している電力の状況（電圧、電流）の情報を取得する（１０４４）。さらに、防災設備３０７にデータ要求コマンドを送信し、防災設備３０７の稼働状況の情報を取得する（１０４５）。その後、通話設備３０９にデータ要求コマンドを送信し、通話設備３０９の稼働状況の情報を取得する（１０４６）。
【０１２１】
図１３は、本発明の実施の形態の全体監視処理のフローチャートである。図１３に示す全体監視処理は、管理サーバ１００の全体監視部１０１において所定の時間間隔で実行される。
【０１２２】
まず、管理サーバ１００のプロセッサは、データ取得条件設定処理を実行する。例えば、ＳＱＬを用いる場合、ＳＥＬＥＣＴ文によって、取得するデータ及びデータの取得元のテーブルを定義する（１０５１）。
【０１２３】
次に、取得するデータの条件を指定することによって、駐車設備管理データテーブル２１００（図２）から、全体監視画面３１００（図２２）を表示するための駐車設備管理データを取得する（１０５２）。同様に、条件を指定することによって、車両管理データテーブル２２００（図３）から車両管理データを取得し（１０５３）、充電設備状況監視データテーブル２３００（図４）から充電設備状況監視データを取得し（１０５４）、充電設備データテーブル２４００（図５）から充電設備データを取得し（１０５５）、交換電池充電設備状況監視データテーブル２５００（図６）から交換電池充電設備状況監視データを取得し（１０５６）、充電電池交換レーンデータテーブル２６００（図７）から充電電池交換レーンデータを取得し（１０５７）、電池充電設備データテーブル２７００（図８）から電池充電設備データを取得する（１０５８）。
【０１２４】
その後、取得したデータから、全体監視画面３１００に含まれる表示項目を編集し（１０５９）、編集された表示項目を含む全体監視画面３１００を表示するための画面データを管理サーバ１００の表示装置に送信する（１０６０）。
【０１２５】
その後、予め設定された表示更新間隔時間が経過したか否かを判定し（１０６１）、所定時間が経過した場合、ステップ１０４２に戻り、再度、データベースからデータを取得して、画面データを生成する。ステップ１０６１のウェイト時間中に、管理者による画面を閉じる操作が検出された場合、この全体監視処理を終了する。
【０１２６】
図１４は、本発明の実施の形態の充電料金管理処理のフローチャートである。図１４に示す充電料金管理処理は、管理サーバ１００の充電料金管理部１０２において所定の時間間隔で実行される。
【０１２７】
まず、管理サーバ１００のプロセッサは、データ取得条件設定処理を実行する。例えば、ＳＱＬを用いる場合、ＳＥＬＥＣＴ文によって、取得するデータ及びデータの取得元のテーブルを定義する（１０７１）。
【０１２８】
次に、取得するデータの条件を指定することによって、駐車設備管理データテーブル２１００（図２）から、充電料金管理画面３２００、３３００（図２３、図２４）を表示するための駐車設備管理データを取得し（１０７２）、車両管理データテーブル２２００（図３）から車両管理データを取得する（１０７３）。
【０１２９】
その後、取得したデータから、充電料金管理画面３２００、３３００に含まれる表示項目を編集し（１０７４）、編集された表示項目を含む充電料金管理画面３２００、３３００を表示するための画面データを管理サーバ１００の表示装置に送信する（１０７５）。
【０１３０】
その後、予め設定された表示更新間隔時間が経過したか否かを判定し（１０７６）、所定時間が経過した場合、ステップ１０７２に戻り、再度、データベースからデータを取得して、画面データを生成する。ステップ１０７５のウェイト時間中に、管理者による画面を閉じる操作が検出された場合、この充電料金管理処理を終了する。
【０１３１】
図１５は、本発明の実施の形態の駐車料金管理処理のフローチャートである。図１５に示す駐車料金管理処理は、管理サーバ１００の駐車料金管理部１０３において所定の時間間隔で実行される。
【０１３２】
まず、管理サーバ１００のプロセッサは、データ取得条件設定処理を実行する。例えば、ＳＱＬを用いる場合、ＳＥＬＥＣＴ文によって、取得するデータ及びデータの取得元のテーブルを定義する（１０８１）。
【０１３３】
次に、取得するデータの条件を指定することによって、駐車設備管理データテーブル２１００（図２）から、駐車料金管理画面３４００（図２５）を表示するための駐車設備管理データを取得し（１０８２）、車両管理データテーブル２２００（図３）から車両管理データを取得する（１０８３）。
【０１３４】
その後、取得したデータから、駐車料金管理画面３４００に含まれる表示項目を編集し（１０８４）、編集された表示項目を含む駐車料金管理画面３４００を表示するための画面データを管理サーバ１００の表示装置に送信する（１０８５）。
【０１３５】
その後、予め設定された表示更新間隔時間が経過したか否かを判定し（１０８６）、所定時間が経過した場合、ステップ１０８２に戻り、再度、データベースからデータを取得して、画面データを生成する。ステップ１０８６のウェイト時間中に、管理者による画面を閉じる操作が検出された場合、この駐車料金管理処理を終了する。
【０１３６】
図１６は、本発明の実施の形態の充電設備状況監視処理のフローチャートである。図１６に示す充電設備状況監視処理は、管理サーバ１００の充電設備状況監視部１０４において所定の時間間隔で実行される。
【０１３７】
まず、管理サーバ１００のプロセッサは、データ取得条件設定処理を実行する。例えば、ＳＱＬを用いる場合、ＳＥＬＥＣＴ文によって、取得するデータ及びデータの取得元のテーブルを定義する（１０９１）。
【０１３８】
次に、取得するデータの条件を指定することによって、充電設備状況監視データテーブル２３００（図４）から、充電設備状況監視画面３５００（図２６）を表示するための充電設備状況監視データを取得し（１０９２）、充電設備データテーブル２４００（図５）から充電設備データを取得する（１０９３）。
【０１３９】
その後、取得したデータから、充電設備状況監視画面３５００に含まれる表示項目を編集し（１０９４）、編集された表示項目を含む充電設備状況監視画面３５００を表示するための画面データを管理サーバ１００の表示装置に送信する（１０９５）。
【０１４０】
その後、予め設定された表示更新間隔時間が経過したか否かを判定し（１０９６）、所定時間が経過した場合、ステップ１０９２に戻り、再度、データベースからデータを取得して、画面データを生成する。ステップ１０９６のウェイト時間中に、管理者による画面を閉じる操作が検出された場合、この駐車料金管理処理を終了する。
【０１４１】
図１７は、本発明の実施の形態の交換電池充電設備状況監視処理のフローチャートである。図１７に示す交換電池充電設備状況監視処理は、管理サーバ１００の交換電池充電設備状況監視部１０５において所定の時間間隔で実行される。
【０１４２】
まず、管理サーバ１００のプロセッサは、データ取得条件設定処理を実行する。例えば、ＳＱＬを用いる場合、ＳＥＬＥＣＴ文によって、取得するデータ及びデータの取得元のテーブルを定義する（１１０１）。
【０１４３】
次に、取得するデータの条件を指定することによって、交換電池充電設備状況監視データテーブル２５００（図６）から、交換電池充電設備状況監視画面３６００（図２７）を表示するための交換電池充電設備状況監視データを取得し（１１０２）、充電電池交換レーンデータテーブル２６００（図７）から充電電池交換レーンデータを取得し（１１０３）、電池充電設備データテーブル２７００（図８）から電池充電設備データを取得する（１１０４）。
【０１４４】
その後、取得したデータから、交換電池充電設備状況監視画面３６００に含まれる表示項目を編集し（１１０５）、編集された表示項目を含む交換電池充電設備状況監視画面３６００を表示するための画面データを管理サーバ１００の表示装置に送信する（１１０６）。
【０１４５】
その後、予め設定された表示更新間隔時間が経過したか否かを判定し（１１０７）、所定時間が経過した場合、ステップ１１０２に戻り、再度、データベースからデータを取得して、画面データを生成する。ステップ１１０７のウェイト時間中に、管理者による画面を閉じる操作が検出された場合、この駐車料金管理処理を終了する。
【０１４６】
図１８は、本発明の実施の形態の駐車・充電状況通知処理のフローチャートである。図１８に示す全体監視処理は、管理サーバ１００の駐車・充電状況通知部１１１において所定の時間間隔で実行される。
【０１４７】
まず、管理サーバ１００のプロセッサは、データ取得条件設定処理を実行する。例えば、ＳＱＬを用いる場合、ＳＥＬＥＣＴ文によって、取得するデータ及びデータの取得元のテーブルを定義する（１１１１）。
【０１４８】
次に、取得するデータの条件を指定することによって、駐車設備管理データテーブル２１００（図２）から、駐車・充電状況通知画面３７００（図２８）を表示するための駐車設備管理データを取得する（１１１２）。同様に、条件を指定することによって、車両管理データテーブル２２００（図３）から車両管理データを取得し（１１１３）、充電設備状況監視データテーブル２３００（図４）から充電設備状況監視データを取得し（１１１４）、充電電池交換レーンデータテーブル２６００（図７）から充電電池交換レーンデータを取得する（１１１５）。
【０１４９】
その後、取得したデータから、駐車・充電状況通知画面３７００に含まれる表示項目を編集し（１１１６）、編集された表示項目を含む駐車・充電状況通知画面３７００を表示するための画面データを管理サーバ１００の表示装置に送信する（１１１７）。
【０１５０】
その後、予め設定された表示更新間隔時間が経過したか否かを判定し（１１１８）、所定時間が経過した場合、ステップ１１１２に戻り、再度、データベースからデータを取得して、画面データを生成する。ステップ１１１８のウェイト時間中に、管理者による画面を閉じる操作が検出された場合、この駐車料金管理処理を終了する。
【０１５１】
図１９は、本発明の実施の形態の通話処理のフローチャートである。図１９に示す全体監視処理は、通話操作が検出されたときに、管理サーバ１００の通話部１１０において実行される。
【０１５２】
まず、管理サーバ１００のプロセッサは、表示選択領域３１０２（図２２参照）等に設けられた通話画面に切り替えるための「通話」ボタンの操作を検出した場合、駐車場に設置された機器（出口精算機３０３、事前精算機３０４、プラグ充電設備４０２、非接触充電設備４０３、電池交換設備４０４等）から通話相手の機器を選択する画面を表示する。その後、通話相手の機器が選択された場合、選択された通話相手の機器と管理サーバ１００（又は、予め設定された管理端末）とが通話できるように回線を接続し、通話相手の表示を含む通話画面の画面データを生成し、管理サーバ１００の表示装置に表示する（１１２１）。
【０１５３】
また、同様に、通話相手（管理サーバ１００）の表示を含む通話画面の画面データを生成し、生成された画面データを通話を起動した機器（精算機、充電設備等）に送信する。
【０１５４】
なお、この通話機能（通話画面）は、通話相手となる機器（精算機、充電設備等）から起動されてもよい。その場合、管理サーバ１００のプロセッサが、各機器に設けられた表示画面に表示された通話ボタンの操作を検出した場合、操作が検出された機器と管理サーバ１００（又は、予め設定された管理端末）とが通話できるように回線を接続する。
【０１５５】
その後、通話相手の表示を含む通話画面の画面データを生成し管理サーバ１００の表示装置に表示する。また、同様に、通話相手（管理サーバ１００）の表示を含む通話画面の画面データを生成し、生成された画面データを通話を起動した機器（精算機、充電設備等）に送信する。
【０１５６】
なお、各機器に設けられる通話ボタンは、画面上に設けられたものであっても、画面外に設けられたスイッチであってもよい。
【０１５７】
図２０は、本発明の実施の形態の通話処理のフローチャートである。図２０に示す全体監視処理は、非常停止操作が検出されたときに、管理サーバ１００の防災監視部１０９において実行される。
【０１５８】
まず、管理サーバ１００のプロセッサは、表示選択領域３１０２（図２２参照）等に設けられた防災監視画面に切り替えるための「防災監視」ボタンの操作を検出した場合、駐車場に設置された機器（プラグ充電設備４０２、非接触充電設備４０３、電池交換設備４０４、電池充電設備４０５等）から非常停止をする機器を選択する防災監視画面を表示する。その後、管理者が、非常停止をする機器を選択した場合、選択された機器を非常停止し、選択された機器の状態を表示する画面の画面データを生成し、管理サーバ１００の表示装置に表示する（１１３１）。
【０１５９】
なお、防災監視画面に、防災設備３０７の状態を表示し、防災設備３０７を起動するための操作ボタンを含んでもよい。
【０１６０】
図２１は、本発明の実施の形態の駐車・充電料金精算処理のフローチャートである。図２１に示す駐車・充電料金精算処理は、管理サーバ１００及び事前精算機３０４において実行される。
【０１６１】
事前精算機３０４が、駐車場の利用者の操作（例えば、精算機への磁気記録式駐車券の投入、非接触ＩＣカード式の駐車券をリーダに読み取らせる）によって駐車券又は会員カードを受け付けると、駐車券に記録された車識別番号又は自動車登録番号を読み取り、読み取った車識別番号又は自動車登録番号を管理サーバ１００に送る。
【０１６２】
管理サーバ１００は、事前精算機３０４によって読み取られた車識別番号又は自動車登録番号をキーにして、データベースからデータを取得する（１１４１）。具体的には、車識別番号（又は、自動車登録番号）をキーにして、車両管理データテーブル２２００を検索し、該当する車両のデータのうち最新のデータから、車両種類２２０３、未徴収駐車料金２２０７、未徴収充電料金２２０８、充電電池交換料金２２０９、駐車時間２２１０、充電時間２２１１及び積算電力量２２１２を抽出する。なお、車識別番号及び自動車登録番号が一致するエントリが車両管理データテーブル２２００から複数検索された場合、最新のエントリに含まれるデータを抽出すればよい。また、車識別番号をキーにして、駐車設備管理データテーブル２１００から充電設備識別番号２１０２を抽出する。また、抽出された充電設備識別番号２１０２をキーにして、充電設備データテーブル２４００を検索し、状態２４０３及び充電率２４０４を抽出する。さらに、車識別番号をキーにして、充電電池交換レーンデータテーブル２６００から、状態２６０３及び交換後充電率２６１０を抽出する。
【０１６３】
次に、管理サーバ１００は、読み取った車両種類２２０３によって、車両が充電式の電気自動車であるか否かを判定する（１１４２）。車両種類２２０３が”ＥＶ−１”でも、”ＥＶ−２”でもなければ、車両が電気自動車ではないと判定する。この場合、精算時に充電の継続・中止を判定する必要がないので、ステップ１１４６に進む。
【０１６４】
一方、車両種類２２０３が”ＥＶ−１”又は”ＥＶ−２”であれば、車両が充電式の電気自動車であると判定し、さらに、管理サーバ１００は、この駐車場の利用において充電設備を利用したか否かを判定する（１１４３）。
【０１６５】
ステップ１１４３の判定において、充電設備データテーブル２４００の状態２４０３が「充電中」でも「充電済」でもなければ、充電設備が利用されていないことから、精算時に充電の継続・中止を判定する必要がないので、ステップ１１４６に進む。一方、充電設備データテーブル２４００の状態２４０３が「充電中」又は「充電済」であれば、充電設備を利用しているので、さらに、管理サーバ１００は、充電が完了しているか否かを判定する（１１４４）。
【０１６６】
ステップ１１４４の判定において、充電設備データテーブル２４００の状態２４０３が「充電済」であれば、充電が完了していることから、精算時に充電の継続・中止を判定する必要がないので、ステップ１１４６に進む。一方、充電設備データテーブル２４００の状態２４０３が「充電中」であれば、精算時に充電の継続・中止を判定する必要があるので、ステップ１１４５に進む。
【０１６７】
ステップ１１４６では、管理サーバ１００は、駐車料金と充電料金とを一括して精算するために、車両管理データテーブル２２００の未徴収駐車料金２２０７と未徴収充電料金２２０８との和を求めて、合計料金を計算する。また、読み取ったデータ及び計算された合計料金を利用して、駐車・充電料金請求画面３８００（図２９）を表示するための画面データを生成して、事前精算機３０４に送る。この場合、前述したステップ１１４２〜１１４４において、精算時に充電の継続・中止を判定する必要がないと判定されているので、今後の処理を選択する操作ボタン（図２９の３８４１〜３８４３）を含まない画面を生成する。その後、ステップ１１４９に進む。
【０１６８】
また、ステップ１１４５において、管理サーバ１００は、駐車料金と充電料金とを一括して精算するために、車両管理データテーブル２２００の未徴収駐車料金２２０７と未徴収充電料金２２０８との和を求めて、合計料金を計算する。また、読み取ったデータ及び計算された合計料金を利用して、駐車・充電料金請求画面３８００（図２９）を表示するための画面データを生成して、事前精算機３０４に送る。この場合、前述したステップ１１４２〜１１４４において、充電の継続・中止を判定する必要があると判定されているので、「出口精算（充電継続）」「いま精算（充電終了）」「いま精算（あと少し充電）」（図２９の３８４１〜３８４３）を選択する操作ボタンを含む画面を生成する。
【０１６９】
事前精算機３０４は、管理サーバ１００から、充電継続画面３８５０の表示データを受信すると、表示画面に充電継続画面３８５０を表示する。その後、事前精算機３０４は、利用者による「出口精算（充電継続）」ボタン、「いま精算（充電終了）」ボタン又は「いま精算（あと少し充電）」ボタンの操作を検出するまで待機する。そして、事前精算機３０４は、「出口精算（充電継続）」ボタン、「いま精算（充電終了）」ボタン又は「いま精算（あと少し充電）」ボタンの操作を検出した場合、利用者の選択結果を管理サーバ１００に送信する（１１４７）。
【０１７０】
そして、管理サーバ１００は、事前精算機３０４から「出口精算（充電継続）」の選択を受信した場合、利用者がこれまでの駐車料金及び充電料金を確認した結果、現時点で料金を精算する必要がないと判断したので、何も処理をせずこの充電継続処理を終了する。この場合、利用者は駐車エリアにおいてプラグ充電設備４０２又は及び非接触充電設備４０３を操作することによって、充電を停止し、この充電の停止時刻によって充電料金が確定する。そして、利用者は、確定した充電料金を、駐車料金と共に出口精算機３０３で精算する。
【０１７１】
一方、管理サーバ１００は、事前精算機３０４から「いま精算（充電終了）」の選択結果を受信した場合、現在継続している充電を停止するためのコマンドをプラグ充電設備４０２又は及び非接触充電設備４０３に送信する（１１４８）。管理サーバ１００は、プラグ充電設備４０２又は及び非接触充電設備４０３から、充電の停止の報告を受信すると、事前精算機３０４に充電の中止を送信する。
【０１７２】
次に、管理サーバ１００は、車両管理データテーブル２２００の未徴収駐車料金２２０７と未徴収充電料金２２０８との和を求めることによって精算すべき料金を計算する。このとき、未徴収駐車料金２２０７、未徴収充電料金２２０８、駐車時間２２１０、充電時間２２１１及び積算電力量２２１２をバッファに一時的に格納し、車両管理データテーブル２２００のバッファに格納したデータ（未徴収駐車料金２２０７、未徴収充電料金２２０８、駐車時間２２１０、充電時間２２１１及び積算電力量２２１２）を”０”にクリアする。これは、精算が失敗した場合にも、精算すべき料金の計算後に発生した料金を車両管理データテーブル２２００に格納するためである。
【０１７３】
その後、管理サーバ１００は、駐車・充電料金請求画面３８００に含まれる表示項目を編集し、編集された表示項目（計算された精算すべき料金）を含む駐車・充電料金請求画面３８００を表示するための画面データを生成し、生成された画面データを事前精算機３０４に送信する。この駐車・充電料金請求画面３８００は、今後の処理を選択する操作ボタン（図２９の３８４１〜３８４３）を含まない画面である。
【０１７４】
一方、管理サーバ１００は、事前精算機３０４から「いま精算（あと少し充電）」の選択結果を受信した場合、予め定められた追加充電時間の後、充電を停止する。このため、現在時刻に所定の追加充電時間を加算した充電停止時刻含む充電停止コマンドをプラグ充電設備４０２又は非接触充電設備４０３に送信する（１１４９）。なお、利用者が追加充電時間を設定できるようにしてもよい。例えば、駐車・充電料金請求画面３８００（図２９）において追加充電時間を設定したり、利用者毎に予め設定された追加充電時間を使用したりすることができる。
【０１７５】
次に、管理サーバ１００は、車両管理データテーブル２２００の未徴収充電料金２２０８に追加充電時間分の充電料金を加算する。そして、未徴収駐車料金２２０７と未徴収充電料金２２０８との和を求めることによって精算すべき料金を計算する。このとき、未徴収駐車料金２２０７、未徴収充電料金２２０８、駐車時間２２１０、充電時間２２１１及び積算電力量２２１２をバッファに一時的に格納し、車両管理データテーブル２２００のバッファに格納したデータ（未徴収駐車料金２２０７、未徴収充電料金２２０８、駐車時間２２１０、充電時間２２１１及び積算電力量２２１２）を”０”にクリアする。これは、精算が失敗した場合にも、精算すべき料金の計算後に発生した料金を車両管理データテーブル２２００に格納するためである。
【０１７６】
その後、管理サーバ１００は、駐車・充電料金請求画面３８００に含まれる表示項目を編集し、編集された表示項目（計算された精算すべき料金）を含む駐車・充電料金請求画面３８００を表示するための画面データを生成し、生成された画面データを事前精算機３０４に送信する。この駐車・充電料金請求画面３８００は、今後の処理を選択する操作ボタン（図２９の３８４１〜３８４３）を含まない画面である。
【０１７７】
なお、管理サーバ１００は、事前精算機３０４から「いま精算（あと少し充電）」の選択結果を受信した場合、現在までの料金を一次精算し、この一次精算以後に発生した料金を出口精算機３０３で二次精算するように制御してもよい。この場合、現在継続している充電はそのまま継続し、車両管理データテーブル２２００の未徴収駐車料金２２０７と未徴収充電料金２２０８との和を求めることによって、現在までに発生した一次精算の料金を計算する。このとき、未徴収駐車料金２２０７、未徴収充電料金２２０８、駐車時間２２１０、充電時間２２１１及び積算電力量２２１２をバッファに一時的に格納し、車両管理データテーブル２２００のバッファに格納したデータ（未徴収駐車料金２２０７、未徴収充電料金２２０８、駐車時間２２１０、充電時間２２１１及び積算電力量２２１２）を”０”にクリアする。これは、一次精算から二次精算までの間に生じた料金を車両管理データテーブル２２００に格納するためである。
【０１７８】
その後、管理サーバ１００は、駐車・充電料金請求画面３８００に含まれる表示項目を編集し、編集された表示項目（計算された精算すべき料金）を含む駐車・充電料金請求画面３８００を表示するための画面データを生成し、生成された画面データを事前精算機３０４に送信する。この駐車・充電料金請求画面３８００は、今後の処理を選択する操作ボタン（図２９の３８４１〜３８４３）を含まない画面である。
【０１７９】
その後、事前精算機３０４は、通知された料金を含む駐車・充電料金請求画面３８００を表示し、料金を通貨、電子マネー又はクレジットカードによって受け入れ、受け入れた結果を管理サーバ１００に送信する（１１５０）。なお、このとき、通貨以外の、電子マネー又はクレジットカードによって精算がされた場合、管理サーバ１００と他システム（クレジットカード会社の決済システム、非接触ＩＣカード決済システム）との間で通信がされ、トランザクションが生じる。
【０１８０】
その後、管理サーバ１００は、事前精算機３０４による精算額の受け入れ結果に従って、バッファに一時的に格納された未徴収駐車料金２２０７及び未徴収充電料金２２０８を、各々、徴収済駐車料金２２０４及び徴収済充電料金２２０５に加算して、車両管理データテーブル２２００を更新する（１１５１）。
【０１８１】
なお、駐車・充電料金精算処理は、管理サーバ１００及び事前精算機３０４が協働して実行するようにしたが、管理サーバ１００が実行する処理の全部又は一部を事前精算機３０４が行ってもよい。
【０１８２】
また、事前精算機３０４による精算時の充電の停止又は継続を、事前精算機３０４を操作することによって選択する例について示したが、利用者毎に予め登録された方法によって事前精算時の充電の停止又は継続を定めてもよい。この場合、利用者毎に予め定められた充電停止の処理方法を会員カードに記録してもよく、予め定められた充電停止の処理方法を利用者毎にデータベースに記録してもよい。
【０１８３】
図２２は、本発明の実施の形態の全体監視部１０１によって表示される全体監視画面３１００の説明図である。
【０１８４】
全体監視画面３１００は、タイトルバー３１０１、表示選択領域３１０２及び監視結果表示領域３１０３を含む。
【０１８５】
表示選択領域３１０２は、全体監視画面３１００、充電料金管理画面３２００、３３００、駐車料金管理画面３４００、充電設備状況監視画面３５００、交換電池充電設備状況監視画面３６００、充電設備供給電力管理画面、自動車特定情報管理画面、他システム連携監視画面、防災監視画面、及び、通話画面のいずれかに切り替えるための操作ボタンが設けられる。
【０１８６】
監視結果表示領域３１０３は、全体状況表示領域３１１０、充電・電池料金表示領域３１２０、駐車料金表示領域３１３０、充電設備表示領域３１４０、交換用電池充電設備表示領域３１５０、受電・供給電力表示領域３１６０、自動車特定情報表示領域３１７０、他システム連携表示領域３１８０、防災表示領域３１９０及び通話表示領域３１９５を含む。
【０１８７】
全体状況表示領域３１１０は、システムが正常に動作している「正常」状態か、管理者に注意喚起すべき状態である「通知」状態か、システムに異常が発生している「異常」状態か、システムに火災等が発生している「災害」状態かを表示する。また、全体状況表示領域３１１０は、消火装置が作動している「消火装置作動」、受電を停止した「電力供給非常停止」を表示する。
【０１８８】
充電・電池料金表示領域３１２０は、日、週、月、年のいずれかの選択された期間における、充電料金の通知徴収済金額の合計、充電料金の未徴収金額の合計、徴収済金額と未徴収金額との合計の充電料金を表示する。駐車料金表示領域３１３０は、日、週、月、年のいずれかの選択された期間における、駐車料金の通知徴収済金額の合計、駐車料金の未徴収金額の合計、徴収済金額と未徴収金額との合計の駐車料金を表示する。
【０１８９】
充電設備表示領域３１４０は、プラグ充電設備４０２及び非接触充電設備４０３について、システムが「正常」状態か、「通知」状態か、「異常」状態か、「災害」状態かを表示する。各状態の意味は、全体状況表示領域３１１０と同じである。また、充電設備表示領域３１４０は、車両が充電済の充電設備の数、車両が充電中の充電設備の数、及び、充電がエラーとなっている充電設備の数を表示する。
【０１９０】
交換用電池充電設備表示領域３１５０は、電池交換設備４０４及び電池充電設備４０５の各状態（「正常」「通知」「異常」）を表示する。各状態の意味は、全体状況表示領域３１１０と同じである。また、交換用電池充電設備表示領域３１５０は、電池充電設備４０５にて充電されている充電中電池数、電池充電設備４０５に保管されている充電済電池数、電池充電設備４０５に保管されている不良電池数、電池充電設備４０５に保管されている全電池数、電池を交換した車両の数、及び、電池を交換がエラーとなった車両の数を表示する。
【０１９１】
受電・供給電力表示領域３１６０は、受配電設備３０８が、「正常」か、「通知」状態か、「異常」か、「災害」状態かを表示する。各状態の意味は、全体状況表示領域３１１０と同じである。また、受電・供給電力表示領域３１６０は、このシステムが受け入れている受電電圧、受電電流、及び、充電設備が供給している供給電圧、供給電流を表示する。
【０１９２】
自動車特定情報表示領域３１７０は、車両情報カメラ３０５（ナンバープレート読取装置）、及び、車両情報センサ３０６（ＥＴＣ無線通信装置）の各状態（「正常」「通知」「異常」）を表示する。
【０１９３】
他システム連携表示領域３１８０は、料金を決済するための決済システム、このシステムに電力を供給する電力会社システム、及び、各システムと通信回線リンキングの各状態（「正常」「通知」「異常」）を表示する。
【０１９４】
防災表示領域３１９０は、防災設備３０７の状態、すなわち、消火装置及び警報装置の各状態（「正常」「通知」「異常」）を表示する。
【０１９５】
通話表示領域３１９５は、通話設備３０９の状態（「正常」「通知」「異常」）を表示する。
【０１９６】
図２３は、本発明の実施の形態の充電料金管理部１０２によって表示される充電料金管理画面３２００の説明図である。
【０１９７】
充電料金管理画面３２００は、タイトルバー３２０１、表示選択領域３２０２及び監視結果表示領域３２０３を含む。
【０１９８】
表示選択領域３２０２は、全体監視画面３１００、充電料金管理画面３２００、３３００、駐車料金管理画面３４００、充電設備状況監視画面３５００、交換電池充電設備状況監視画面３６００、充電設備供給電力管理画面、自動車特定情報管理画面、他システム連携監視画面、防災監視画面、及び、通話画面のいずれかに切り替えるための操作ボタンが設けられる。
【０１９９】
監視結果表示領域３２０３は、充電・交換料金表示領域３２１０、積算電力量表示領域３２２０及びエリア状態表示領域３２３０を含む。
【０２００】
充電・交換料金表示領域３２１０は、日、週、月、年のいずれかの選択された期間における、徴収済の充電料金の額、未徴収の充電料金の額、及び、徴収済充電料金と未徴収充電料金との合計額を表示する。
【０２０１】
積算電力量表示領域３２２０は、日、週、月、年のいずれかの選択された期間における、徴収済金額に相当する積算電力量、未徴収金額に相当する積算電力量、及び、積算電力量の合計を表示する。
【０２０２】
エリア状態表示領域３２３０は、各駐車エリアの充電設備（プラグ充電設備４０２又は非接触充電設備４０３）の状態を示す。例えば、エリア１は車両が駐車していない空き状態である。また、エリア７は、電気自動車以外の車両が駐車中であって、その駐車車両の自動車登録番号が表示される。また、エリア１０は、電気自動車が駐車中であって、その駐車車両（充電中の車両）の自動車登録番号、充電時間、充電の状態（充電中か、充電済か)、充電料金が表示される。
【０２０３】
エリア状態表示領域３２３０には、表示するページを切り替えるタブが設けられる。例えば、充電料金管理画面３２００（図２３）は１階の第１エリアが選択された状態を示すが、タブの選択によって、１階の第２エリアの状態を示す充電料金管理画面３３００（図２４）を表示したり、２階の状態を表示したりすることもできる。
【０２０４】
図２４は、本発明の実施の形態の充電料金管理部１０２によって表示される充電料金管理画面３３００の説明図である。
【０２０５】
充電料金管理画面３３００は、タイトルバー３３０１、表示選択領域３３０２及び監視結果表示領域３３０３を含む。
【０２０６】
表示選択領域３３０２は、全体監視画面３１００、充電料金管理画面３２００、３３００、駐車料金管理画面３４００、充電設備状況監視画面３５００、交換電池充電設備状況監視画面３６００、充電設備供給電力管理画面、自動車特定情報管理画面、他システム連携監視画面、防災監視画面、及び、通話画面のいずれかに切り替えるための操作ボタンが設けられる。
【０２０７】
監視結果表示領域３３０３は、充電・交換料金表示領域３３１０及びレーン状態表示領域３３３０を含む。
【０２０８】
充電・交換料金表示領域３３１０は、日、週、月、年のいずれかの選択された期間における、徴収済の電池交換料金、未徴収の電池交換料金、及び、徴収済電池交換料金と未徴収電池交換料金との合計額を表示する。
【０２０９】
レーン状態表示領域３３３０は、各電池交換レーン（電池充電設備４０５）の状態及び各レーンの入口信号機の表示状態を示す。例えば、交換レーン１は車両が入場していない空き状態である。また、交換レーン２は、電池を交換中であり、作業中の車両の自動車登録番号、作業開始からの経過時間、交換に対する金額が表示される。また、交換レーン３は、電池の交換が完了しており、作業中の車両の自動車登録番号、作業開始からの経過時間、交換に対する金額が表示される。また、交換レーン４は、メンテナンス状態である。
【０２１０】
レーン状態表示領域３３３０には、充電料金管理画面３２００と同様に、表示するページを切り替えるタブが設けられる。
【０２１１】
図２５は、本発明の実施の形態の駐車料金管理部１０３によって表示される駐車料金管理画面３４００の説明図である。
【０２１２】
駐車料金管理画面３４００は、タイトルバー３４０１、表示選択領域３４０２及び料金表示領域３４０３を含む。
【０２１３】
表示選択領域３４０２は、全体監視画面３１００、充電料金管理画面３２００、３３００、駐車料金管理画面３４００、充電設備状況監視画面３５００、交換電池充電設備状況監視画面３６００、充電設備供給電力管理画面、自動車特定情報管理画面、他システム連携監視画面、防災監視画面、及び、通話画面のいずれかに切り替えるための操作ボタンが設けられる。
【０２１４】
料金表示領域３４０３は、駐車料金表示領域３４１０及びエリア状態表示領域３４３０を含む。
【０２１５】
駐車料金表示領域３４１０は、日、週、月、年のいずれかの選択された期間における、徴収済の駐車料金の額、未徴収の駐車料金の額、及び、徴収済充電料金と未徴収充電料金との合計額を表示する。
【０２１６】
エリア状態表示領域３４３０は、各駐車エリアの状態を示す。例えば、エリア１は車両が駐車していない空き状態である。また、エリア４は、電気自動車が駐車中であって、その駐車車両の自動車登録番号、駐車時間及び駐車料金が表示される。
【０２１７】
エリア状態表示領域３４３０には、表示するページを切り替えるタブが設けられる。例えば、充電料金管理画面３４００（図２５）は１階の第１エリアが選択された状態を示すが、タブの選択によって、１階の第２エリアの状態や、２階の状態を表示することができる。
【０２１８】
図２６は、本発明の実施の形態の充電設備状況監視部１０４によって表示される充電設備状況監視画面３５００の説明図である。
【０２１９】
充電設備状況監視画面３５００は、タイトルバー３５０１、表示選択領域３５０２及び充電設備状況監視結果表示領域３５０３を含む。
【０２２０】
表示選択領域３５０２は、全体監視画面３１００、充電料金管理画面３２００、３３００、駐車料金管理画面３４００、充電設備状況監視画面３５００、交換電池充電設備状況監視画面３６００、充電設備供給電力管理画面、自動車特定情報管理画面、他システム連携監視画面、防災監視画面、及び、通話画面のいずれかに切り替えるための操作ボタンが設けられる。
【０２２１】
充電設備状況監視結果表示領域３５０３は、全体状況表示領域３５１０及びエリア状態表示領域３５３０を含む。
【０２２２】
全体状況表示領域３５１０は、充電設備（プラグ充電設備４０２及び非接触充電設備４０３）のうち、充電中の台数、充電済の台数、エラーの台数を表示する。また、エラーの原因が、車体側の電池の不良であるか、充電設備の不良であるかを表示する。また、全体状況表示領域３５１０は、充電設備４０２及び４０３の状態（「正常」「通知」「異常」「災害」）を表示する。各状態の意味は、全体状況表示領域３１１０と同じである。
【０２２３】
エリア状態表示領域３５３０は、各駐車エリアの充電設備（プラグ充電設備４０２又は非接触充電設備４０３）の状態を示す。例えば、エリア１は、充電設備の状態は正常であって、車両が駐車していない空き状態である。また、エリア４は、充電設備の状態は正常であって、駐車している電気自動車は充電中である。また、充電時間、残充電時間、充電率（残容量）を表示する。また、エリア７は、充電設備の状態は正常であって、駐車している車両は電気自動車以外の車両である。また、エリア１０は、充電設備の状態は正常であって、駐車している電気自動車への充電は完了している。また、充電時間、残充電時間、充電率（残容量）を表示する。
【０２２４】
エリア状態表示領域３５３０には、充電料金管理画面３２００と同様に、表示するページを切り替えるタブが設けられる。
【０２２５】
図２７は、本発明の実施の形態の交換電池充電設備状況監視部１０５によって表示される交換電池充電設備状況監視画面３６００の説明図である。
【０２２６】
交換電池充電設備状況監視画面３６００は、タイトルバー３６０１、表示選択領域３６０２及び監視結果表示領域３６０３を含む。
【０２２７】
表示選択領域３６０２は、全体監視画面３１００、充電料金管理画面３２００、３３００、駐車料金管理画面３４００、充電設備状況監視画面３５００、交換電池充電設備状況監視画面３６００、充電設備供給電力管理画面、自動車特定情報管理画面、他システム連携監視画面、防災監視画面、及び、通話画面のいずれかに切り替えるための操作ボタンが設けられる。
【０２２８】
監視結果表示領域３６０３は、全体状況表示領域３６１０、交換レーン状態表示領域３６２０及び充電設備状態表示領域３６３０を含む。
【０２２９】
全体状況表示領域３６１０は、電池交換設備４０４及び電池充電設備４０５のうち、交換中の台数、交換済の台数、エラーの台数を表示する。また、エラーの原因が、車体側の電池の不良であるか、車体側の交換（すなわち、電池装着装置）の不良であるか、交換設備の不良であるかを表示する。また、全体状況表示領域３６１０は、電池交換設備４０４及び電池充電設備４０５の状態（「正常」「通知」「異常」「災害」）を表示する。各状態の意味は、全体状況表示領域３１１０と同じである。
【０２３０】
交換レーン状態表示領域３６２０は、各電池交換レーン（電池充電設備４０５）の状態及び各レーンの入口信号機の表示状態を示す。例えば、交換レーン１は、電池交換設備４０４の状態は正常であって、車両が入場していない空き状態である。また、交換レーン２は、電池交換設備４０４の状態は正常であって、電池を交換中（電池交換設備４０４から電池を搬出中）である。また、交換レーン３は、電池交換設備４０４の状態は正常であって、電池の交換が完了している（電池交換設備４０４から電池を搬出済である）。また、交換レーン４は、メンテナンス中である。また、レーン毎に、入口信号機の表示状態、交換前電池識別子、交換後電池識別子、交換前充電率、及び交換後充電率を表示する。
【０２３１】
充電設備状態表示領域３６３０には、電池充電設備４０５に保管されている充電済の電池の数、充電中の電池の数、空き状態の電池充電設備４０５、電池充電設備４０５へ入力される電力（電圧、位相等）、及び、電池充電設備４０５から出力される電力（電圧、電流等）が表示される。また、充電設備状態表示領域３６３０には、各充電設備毎の状態（空きか、充電中か、充電済か）、電池の識別子、充電率が表示される。
【０２３２】
図２８は、本発明の実施の形態の駐車・充電状況通知部１１１によってプラグ充電設備４０２の表示画面に表示される駐車・充電状況通知画面３７００の説明図である。なお、非接触充電設備４０３の表示画面にも同様の画面が表示される。
【０２３３】
駐車・充電状況通知画面３７００には、駐車・充電設備情報表示領域３７１０、料金情報表示領域３７２０、充電状態表示領域３７３０及び操作ボタン３７４１、３７４２が設けられる。
【０２３４】
駐車・充電設備情報表示領域３７１０は、充電設備の状態や、利用者に対する指示、例えば、「充電完了 プラグを抜いてください。」を表示する。料金情報表示領域３７２０は、充電時間、充電料金、駐車時間及び駐車料金を表示する。充電状態表示領域３７３０は、充電状態及び充電率を表示する。
【０２３５】
「通話」ボタン３７４１は、管理者と通話することができるインターホンを起動するための操作領域である。「非常停止」ボタン３７４２は、充電設備を停止するための操作領域である。なお、操作ボタン３７４１、３７４２は、画面上ではなく、画面外に物理的に設けられたスイッチでもよい。
【０２３６】
図２９は、本発明の実施の形態の駐車・充電料金請求部１１２によって事前精算機３０４の表示画面に表示される駐車・充電料金請求画面３８００の説明図である。
【０２３７】
駐車・充電料金請求画面３８００には、合計料金表示領域３８１０、料金詳細情報表示領域３８２０、充電状態表示領域３８３０及び操作ボタン３８４１〜３８４３が設けられる。
【０２３８】
合計料金表示領域３８１０は、事前精算機３０４で精算すべき料金の合計額を表示する。料金詳細情報表示領域３８２０は、精算すべき料金の内訳、すなわち、充電時間、充電料金、駐車時間及び駐車料金を表示する。充電状態表示領域３８３０は、充電状態及び充電率を表示する。
【０２３９】
「出口精算（充電継続）」ボタン３８４１は、事前精算機３０４の操作によっては充電を停止せず、出口精算機３０３で料金を精算する操作をするための操作領域である。「いま精算（充電終了）」ボタン３８４２は、操作された時点で充電を停止し、事前精算機３０４で料金を精算する操作をするための操作領域である。「いま精算（あと少し充電）」ボタン３８４３は、操作された後の所定時間充電を継続した後に充電を停止し、この所定時間の充電も含めて充電料金を確定し、事前精算機３０４で料金を精算する操作をするための操作領域である。なお、操作ボタン３８４１〜３８４３は、画面上ではなく、画面外に物理的に設けられたスイッチでもよい。
【０２４０】
特許請求の範囲に記載した以外の本発明の観点の代表的なものとして、次のものがあげられる。
【０２４１】
（１）電気自動車へ充電する充電設備を備える駐車場を管理する駐車・充電管理システムであって、
前記駐車場の利用によって生じる駐車料金及び前記充電設備の利用によって生じる充電料金を管理するサーバと、
駐車場の車両出口に設けられる第１精算機と、
駐車場の出口以外の場所に設けられる第２精算機と、を備え、
前記充電設備を利用している者が駐車場の利用を終了する場合、前記第２精算機による精算時に、充電を停止するか否かの選択を受け付け、
充電の停止の選択を受け付けた場合、当該利用者の車両への充電を停止した後、当該充電の停止によって確定した充電料金と駐車料金との合計を計算し、前記計算された合計額を前記第２精算機によって利用者に提示し、
充電の継続の選択を受け付けた場合、当該利用者の車両への充電を継続し、利用者の操作によって充電を停止し、当該充電の停止によって確定する充電料金と駐車料金との合計を計算し、前記計算された合計額を前記第１精算機によって利用者に提示することを特徴とする駐車・充電管理システム。
【０２４２】
（２）所定時間の充電後に充電を停止する選択を受け付けた場合、前記所定時間と現在時刻とから充電完了時刻を計算した後、当該充電完了時刻における充電の停止によって定まる充電料金と駐車料金との合計を計算し、前記計算された合計額を前記第２精算機によって利用者に提示することを特徴とする（１）に記載の駐車・充電管理システム。
【０２４３】
（３）所定時間の充電後に充電を停止する選択を受け付けた場合、現在までの充電によって発生した充電料金と駐車料金との合計を計算し、前記計算された合計額を前記第２精算機によって利用者に提示することによって、当該充電料金及び駐車料金を精算し、
前記第２精算機による精算後に発生した充電料金と駐車料金との合計を計算し、前記計算された合計額を前記第１精算機によって利用者に提示することを特徴とする（１）に記載の駐車・充電管理システム。
【０２４４】
（４）前記サーバは、未徴収駐車料金、徴収済駐車料金、未徴収充電料金及び徴収済充電料金を格納する記憶領域を備え、
前記駐車・充電管理システムは、充電の停止の選択を受け付けた場合、前記計算された合計額の精算が完了した後、前記未徴収駐車料金を前記徴収済駐車料金に加算し、前記未徴収充電料金を前記徴収済充電料金に加算することを特徴とする（１）から（３）のいずれか一つに記載の駐車・充電管理システム。
【符号の説明】
【０２４５】
１００  管理サーバ
２００  駐車設備側ターミナル
３０１〜３０９  駐車設備関連機器
４０１〜４０５  充電設備関連機器
５００  他システム連携側ターミナル
２１００  駐車設備管理データテーブル
２２００  車両管理データテーブル
２３００  充電設備状況監視データテーブル
２４００  充電設備データテーブル
２５００  交換電池充電設備状況監視データテーブル
２６００  充電電池交換レーンデータテーブル
２７００  電池充電設備データテーブル
【図１Ａ】
2014078249.tif 000003
【図１Ｂ】
2014078249.tif 000004
【図２】
2014078249.tif 000005
【図３】
2014078249.tif 000006
【図４】
2014078249.tif 000007
【図５】
2014078249.tif 000008
【図６】
2014078249.tif 000009
【図７】
2014078249.tif 000010
【図８】
2014078249.tif 000011
【図９】
2014078249.tif 000012
【図１０】
2014078249.tif 000013
【図１１】
2014078249.tif 000014
【図１２】
2014078249.tif 000015
【図１３】
2014078249.tif 000016
【図１４】
2014078249.tif 000017
【図１５】
2014078249.tif 000018
【図１６】
2014078249.tif 000019
【図１７】
2014078249.tif 000020
【図１８】
2014078249.tif 000021
【図１９】
2014078249.tif 000022
【図２０】
2014078249.tif 000023
【図２１】
2014078249.tif 000024
【図２２】
2014078249.tif 000025
【図２３】
2014078249.tif 000026
【図２４】
2014078249.tif 000027
【図２５】
2014078249.tif 000028
【図２６】
2014078249.tif 000029
【図２７】
2014078249.tif 000030
【図２８】
2014078249.tif 000031
【図２９】
2014078249.tif 000032